(57)【要約】【課題】本発明は、取引市場における外国為替の現在値の確認が容易であり、注文等の操作が極めて簡略であり、更に注文結果等の認識も確実に行うことができるオンライン取引方法を提供する。【解決手段】本発明のオンライン取引方法は、取引業者コンピュータ装置１に電気通信回線５で接続した顧客端末１１の画面上に任意数の外国為替の銘柄、売値、買値等の価格情報群を表示し、顧客端末１１による売値、買値の指定入力に基づき、当該銘柄の取引履歴を示すチャート、売買伝票を顧客端末１１の画面に表示し、売買伝票への顧客入力に基づき取引業者コンピュータ装置１は取引市場コンピュータ装置２１と電気通信回線６を介して交信し、注文成立の場合、電気通信回線５を介して顧客端末１１の画面上にチャート及び注文成立価格を示す指標のライン表示、注文成立関連情報を表示するようにしたものである。【選択図】図１
2006260441.tif 000002
【特許請求の範囲】
【請求項１】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引システムであって、
前記取引業者コンピュータは、任意数の取引媒体群、売値、買値等の価格情報群の情報、取引媒体の取引履歴を示すチャート情報、売買伝票の情報の電気通信回線を介しての顧客端末への送信及び顧客端末からの注文情報の受信、取引市場コンピュータとの電気通信回線を介しての交信による注文、注文成立情報の取得、注文成立の場合のチャート及び注文成立価格を示す指標のライン表示情報、注文成立関連情報の電気通信回線を介しての顧客端末への送信を行い、
前記顧客端末は、任意数の取引媒体群、売値、買値等の価格情報群の情報の画面表示、取引媒体の取引履歴を示すチャート情報、売買伝票の情報の画面表示、売買伝票への注文入力、注文成立の場合のチャート及び注文成立価格を示す指標のライン表示、注文成立関連情報の表示を行うこと、
を特徴とするオンライン取引システム。
【請求項２】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引システムであって、  前記取引業者コンピュータは、任意数の取引媒体群、売値、買値等の価格情報群の情報、取引媒体の取引履歴を示すチャート情報、売買伝票の情報の電気通信回線を介しての顧客端末への送信及び顧客端末からの注文情報の受信、取引市場コンピュータとの電気通信回線を介しての交信による注文、注文成立情報又は注文不成立情報の取得、注文成立の場合のチャート及び注文成立価格を示す指標のライン表示情報、注文成立関連情報の電気通信回線を介しての顧客端末への送信、又は注文不成立の場合の場合の注文価格を示す指標のライン表示を含むチャートの情報及び注文コードを含む注文不成立関連情報の電気通信回線を介しての顧客端末への送信を行い、
前記顧客端末は、任意数の取引媒体群、売値、買値等の価格情報群の情報の画面表示、取引媒体の取引履歴を示すチャート情報、売買伝票の情報の画面表示、売買伝票への注文入力、注文成立の場合のチャート及び注文成立価格を示す指標のライン表示、注文成立関連情報の表示、又は注文不成立の場合の注文価格を示す指標のライン表示を含むチャート及び注文コードを含む注文不成立関連情報の表示を行うこと、
を特徴とするオンライン取引システム。
【請求項３】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引システムであって、
前記取引業者コンピュータは、任意数の取引媒体群、売値、買値等の価格情報群の情報、取引媒体の取引履歴を示すチャート情報、売買伝票の情報の電気通信回線を介しての顧客端末への送信及び顧客端末からの注文情報の受信、取引市場コンピュータとの電気通信回線を介しての交信による注文、注文成立情報又は注文不成立情報の取得、注文成立の場合のチャート及び注文成立価格を示す指標のライン表示情報、注文成立関連情報の電気通信回線を介しての顧客端末への送信、又は注文不成立の場合の注文価格を示す指標のライン表示を含むチャートの情報及び注文コードを含む注文不成立関連情報の電気通信回線を介しての顧客端末への送信、顧客端末による注文コード指定により注文内容の取り消し処理及び当該取引媒体のチャート上のライン表示の消去情報の電気通信回線を介しての顧客端末への送信を行い、
前記顧客端末は、任意数の取引媒体群、売値、買値等の価格情報群の情報の画面表示、取引媒体の取引履歴を示すチャート情報、売買伝票の情報の画面表示、売買伝票への注文入力、注文成立の場合のチャート及び注文成立価格を示す指標のライン表示、注文成立関連情報の表示、又は注文不成立の場合の注文価格を示す指標のライン表示を含むチャート及び注文コードを含む注文不成立関連情報の表示、注文コード指定による注文内容の取り消し操作を行うこと、
を特徴とするオンライン取引システム。
【請求項４】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引システムであって、
取引業者コンピュータは、少なくとも当該顧客が保有する特定の取引媒体、注文コードの情報の送信、顧客端末による取引媒体又は注文コードの指定入力により当該取引媒体の現在時点までのチャート表示及び保有価格を示す指標のライン表示の情報、売買伝票の送信、顧客端末による売買伝票への決済用の条件指定入力に基づき取引市場コンピュータと電気通信回線を介して交信し、決済成立の場合の前記チャートにおけるライン表示の消去情報、決済関連情報の顧客端末への送信を行い、
顧客端末は、取引媒体又は注文コードの指定入力、売買伝票への決済用の条件指定入力、チャートにおけるライン表示の消去、決済関連情報の画面表示を行うこと、
を特徴とするオンライン取引システム。
【請求項５】
前記取引媒体は、複数種の通過ペア、複数種の株式、複数種の先物取引対称物から選定されることを特徴とする請求項１乃至４のいずれかに記載のオンライン取引システム。
【請求項６】
顧客端末と、取引業者コンピュータと、データベースを含む取引市場コンピュータと、これらをオンラインで接続する電気通信回線とを使用し、時々刻々価格変動を伴う取引媒体のオンライン取引を行うオンライン取引方法であって、
取引業者コンピュータに電気通信回線で接続した顧客端末の画面上に任意数の取引媒体群、売値、買値等の価格情報群を表示する過程と、
顧客端末による特定の取引媒体又は売値、買値等の指定入力に基づき、当該取引媒体の取引履歴を示すチャート情報、売買伝票を顧客端末の画面に表示する過程と、
売買伝票への顧客入力に基づき取引市場コンピュータと電気通信回線を介して交信し、注文成立の場合、電気通信回線を介して顧客端末の画面上にチャート及び売買成立価格を示す指標のライン表示、注文成立関連情報を表示する過程と、
を含むことを特徴とするオンライン取引方法。
【請求項７】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引方法であって、
取引業者コンピュータに電気通信回線で接続した顧客端末の画面上に任意数の取引媒体群、売値、買値等の価格情報群を表示する過程と、
顧客端末による特定の取引媒体又は売値、買値の指定入力に基づき、当該取引媒体の取引履歴を示すチャート情報、売買伝票を顧客端末の画面に表示する過程と、
売買伝票への顧客入力に基づき取引市場コンピュータと電気通信回線を介して交信し、注文成立の場合、電気通信回線を介して顧客端末の画面上にチャート及び注文成立価格を示す指標のライン表示、注文成立関連情報を表示する過程と、
前記注文不成立の場合、電気通信回線を介して顧客端末の画面上に注文価格を示す指標のライン表示を含むチャート及び注文コードを含む注文不成立関連情報を表示する過程と、
を含むことを特徴とするオンライン取引方法。
【請求項８】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引方法であって、
取引業者コンピュータに電気通信回線で接続した顧客端末の画面上に任意数の取引媒体群、売値、買値等の価格情報群を表示する過程と、
顧客端末による特定の取引媒体又は売値、買値の指定入力に基づき、当該取引媒体の取引履歴を示すチャート情報、売買伝票を顧客端末の画面に表示する過程と、
売買伝票への顧客入力に基づき取引市場コンピュータと電気通信回線を介して交信し、注文成立の場合、電気通信回線を介して顧客端末の画面上にチャート及び注文成立価格を示す指標のライン表示、注文成立関連情報を表示する過程と、
前記注文不成立の場合、電気通信回線を介して顧客端末の画面上に注文価格を示す指標のライン表示を含むチャート及び注文コードを含む注文不成立関連情報を表示する過程と、
顧客端末による前記注文コード指定により注文内容の取り消し処理及び当該取引媒体のチャート上のライン表示の消去処理を行う過程と、
を含むことを特徴とするオンライン取引方法。
【請求項９】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引方法であって、
取引業者コンピュータに電気通信回線で接続した顧客端末の画面上に少なくとも当該顧客が保有する特定の取引媒体、注文コードを表示する過程と、
顧客端末による取引媒体又は注文コードの指定入力により当該取引媒体の現在時点までのチャート表示及び保有価格を示す指標のライン表示と、売買伝票の表示を行う過程と、
顧客端末による売買伝票への決済用の条件指定入力に基づき取引市場コンピュータと電気通信回線を介して交信し、決済成立の場合、電気通信回線を介して顧客端末の画面上のチャートにおけるライン表示を消去し、決済関連情報を表示する過程と、
を含むことを特徴とするオンライン取引方法。
【請求項１０】
前記取引媒体は、複数種の通過ペア、複数種の株式、複数種の先物取引対称物から選定されることを特徴とする請求項６乃至９のいずれかに記載のオンライン取引方法。
【請求項１１】
顧客端末と、取引業者コンピュータと、取引市場コンピュータと、これらをオンラインで接続する電気通信回線とを使用し、時々刻々価格変動を伴う取引媒体のオンライン取引を行うオンライン取引に使用されるオンライン取引用プログラムであって、
前記取引業者コンピュータを、
電気通信回線で接続した顧客端末に任意数の取引媒体群、売値、買値等の価格情報群の情報を送信し画面に表させる処理と、
顧客端末による特定の取引媒体又は売値、買値等の指定入力に基づき、当該取引媒体の取引履歴を示すチャート情報、売買伝票を顧客端末に送信し画面に表示させる処理と、
売買伝票への顧客入力に基づき、取引市場コンピュータと電気通信回線を介して交信し、注文成立の場合、電気通信回線を介して顧客端末に当該取引媒体のチャート及び売買成立価格を示す指標のライン表示の情報、注文成立関連情報を送信し画面に表示させる処理と、
を実行する手段として機能させることを特徴とするオンライン取引用プログラム。
【請求項１２】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引用プログラムであって、
取引業者コンピュータを、
電気通信回線で接続した顧客端末の画面上に任意数の取引媒体群、売値、買値等の価格情報群を送信し画面に表示させる処理と、
顧客端末による特定の取引媒体又は売値、買値の指定入力に基づき、当該取引媒体の取引履歴を示すチャート情報、売買伝票を顧客端末に送信し画面に表示させる処理と、
売買伝票への顧客入力に基づき取引市場コンピュータと電気通信回線を介して交信し、注文成立の場合、電気通信回線を介して顧客端末に当該取引媒体のチャート及び注文成立価格を示す指標のライン表示、注文成立関連情報を送信し画面に表示させる処理と、
前記注文不成立の場合、電気通信回線を介して顧客端末に注文価格を示す指標のライン表示を含むチャートの情報及び注文コードを含む注文不成立関連情報を送信し画面に表示させる処理と、
を実行する手段として機能させることを特徴とするオンライン取引用プログラム。
【請求項１３】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引用プログラムであって、
取引業者コンピュータを、
電気通信回線で接続した顧客端末の画面上に任意数の取引媒体群、売値、買値等の価格情報群を送信し画面に表示させる処理と、
顧客端末による特定の取引媒体又は売値、買値の指定入力に基づき、当該取引媒体の取引履歴を示すチャート情報、売買伝票を顧客端末に送信し画面に表示させる処理と、
売買伝票への顧客入力に基づき取引市場コンピュータと電気通信回線を介して交信し、注文成立の場合、電気通信回線を介して顧客端末に当該取引媒体のチャート及び注文成立価格を示す指標のライン表示、注文成立関連情報を送信し画面に表示させる処理と、
前記注文不成立の場合、電気通信回線を介して顧客端末に注文価格を示す指標のライン表示を含むチャートの情報及び注文コードを含む注文不成立関連情報を送信し画面に表示させる処理と、
顧客端末による前記注文コード指定により注文内容の取り消し処理及び当該取引媒体のチャート上のライン表示の消去を行う処理と、
を実行する手段として機能させることを特徴とするオンライン取引用プログラム。
【請求項１４】
顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引用プログラムであって、
取引業者コンピュータを、
電気通信回線で接続した顧客端末に少なくとも当該顧客が保有する特定の取引媒体、注文コードの情報を送信し画面に表示させる処理と、
顧客端末による取引媒体又は注文コードの指定入力により当該取引媒体の現在時点までのチャートの情報、保有価格を示す指標のライン表示の情報、売買伝票を送信し、画面に表示させる処理と、
顧客端末による売買伝票への決済用の条件指定入力に基づき取引市場コンピュータと電気通信回線を介して交信し、決済成立の場合、電気通信回線を介して顧客端末にチャートにおけるライン表示を消去する情報、決済関連情報を送信し画面上のライン表示を消し、決済関連情報を表示させる処理と、
を実行する手段として機能させることを特徴とするオンライン取引用プログラム。
【請求項１５】
前記取引媒体は、複数種の通過ペア、複数種の株式、複数種の先物取引対称物から選定されることを特徴とする請求項１１乃至１４のいずれかに記載のオンライン取引用プログラム。
【請求項１６】
顧客端末と、取引業者コンピュータと、取引市場コンピュータと、これらをオンラインで接続する電気通信回線とを使用し、時々刻々価格変動を伴う取引媒体のオンライン取引を行うオンライン取引に使用されるコンピュータ読み取り可能な記憶媒体であって、
前記取引業者コンピュータを、
電気通信回線で接続した顧客端末に任意数の取引媒体群、売値、買値等の価格情報群の情報を送信し画面に表させる処理と、
顧客端末による特定の取引媒体又は売値、買値等の指定入力に基づき、当該取引媒体の取引履歴を示すチャート情報、売買伝票を顧客端末に送信し画面に表示させる処理と、
売買伝票への顧客入力に基づき、取引市場コンピュータと電気通信回線を介して交信し、注文成立の場合、電気通信回線を介して顧客端末に当該取引媒体のチャート及び売買成立価格を示す指標のライン表示の情報、注文成立関連情報を送信し画面に表示させる処理と、
を実行する手段として機能させるオンライン取引用プログラムを記憶したことを特徴とする記憶媒体。
【請求項１７】
顧客端末と、取引業者コンピュータと、取引市場コンピュータと、これらをオンラインで接続する電気通信回線とを使用し、時々刻々価格変動を伴う取引媒体のオンライン取引を行うオンライン取引に使用されるコンピュータ読み取り可能な記憶媒体であって、
取引業者コンピュータを、
電気通信回線で接続した顧客端末の画面上に任意数の取引媒体群、売値、買値等の価格情報群を送信し画面に表示させる処理と、
顧客端末による特定の取引媒体又は売値、買値の指定入力に基づき、当該取引媒体の取引履歴を示すチャート情報、売買伝票を顧客端末に送信し画面に表示させる処理と、
売買伝票への顧客入力に基づき取引市場コンピュータと電気通信回線を介して交信し、注文成立の場合、電気通信回線を介して顧客端末に当該取引媒体のチャート及び注文成立価格を示す指標のライン表示、注文成立関連情報を送信し画面に表示させる処理と、
前記注文不成立の場合、電気通信回線を介して顧客端末に注文価格を示す指標のライン表示を含むチャートの情報及び注文コードを含む注文不成立関連情報を送信し画面に表示させる処理と、
を実行する手段として機能させるオンライン取引用プログラムを記憶したことを特徴とする記憶媒体。
【請求項１８】
顧客端末と、取引業者コンピュータと、取引市場コンピュータと、これらをオンラインで接続する電気通信回線とを使用し、時々刻々価格変動を伴う取引媒体のオンライン取引を行うオンライン取引に使用されるコンピュータ読み取り可能な記憶媒体であって、
取引業者コンピュータを、
電気通信回線で接続した顧客端末の画面上に任意数の取引媒体群、売値、買値等の価格情報群を送信し画面に表示させる処理と、
顧客端末による特定の取引媒体又は売値、買値の指定入力に基づき、当該取引媒体の取引履歴を示すチャート情報、売買伝票を顧客端末に送信し画面に表示させる処理と、
売買伝票への顧客入力に基づき取引市場コンピュータと電気通信回線を介して交信し、注文成立の場合、電気通信回線を介して顧客端末に当該取引媒体のチャート及び注文成立価格を示す指標のライン表示、注文成立関連情報を送信し画面に表示させる処理と、
前記注文不成立の場合、電気通信回線を介して顧客端末に注文価格を示す指標のライン表示を含むチャートの情報及び注文コードを含む注文不成立関連情報を送信し画面に表示させる処理と、
顧客端末による前記注文コード指定により注文内容の取り消し処理及び当該取引媒体のチャート上のライン表示の消去を行う処理と、
を実行する手段として機能させるオンライン取引用プログラムを記憶したことを特徴とする記憶媒体。
【請求項１９】
顧客端末と、取引業者コンピュータと、取引市場コンピュータと、これらをオンラインで接続する電気通信回線とを使用し、時々刻々価格変動を伴う取引媒体のオンライン取引を行うオンライン取引に使用されるコンピュータ読み取り可能な記憶媒体であって、
取引業者コンピュータを、
電気通信回線で接続した顧客端末に少なくとも当該顧客が保有する特定の取引媒体、注文コードの情報を送信し画面に表示させる処理と、
顧客端末による取引媒体又は注文コードの指定入力により当該取引媒体の現在時点までのチャートの情報、保有価格を示す指標のライン表示の情報、売買伝票を送信し、画面に表示させる処理と、
顧客端末による売買伝票への決済用の条件指定入力に基づき取引市場コンピュータと電気通信回線を介して交信し、決済成立の場合、電気通信回線を介して顧客端末にチャートにおけるライン表示を消去する情報、決済関連情報を送信し画面上のライン表示を消し、決済関連情報を表示させる処理と、
を実行する手段として機能させるオンライン取引用プログラムを記憶したことを特徴とする記憶媒体。
【請求項２０】
前記取引媒体は、複数種の通過ペア、複数種の株式、複数種の先物取引対称物から選定されることを特徴とする請求項１６乃至１９のいずれかに記載の記憶媒体。
【発明の詳細な説明】
【技術分野】
【０００１】
本発明は、外国為替、株式、先物等のオンライン取引に適用して好適なオンライン取引システム、オンライン取引方法、オンライン取引用プログラム及び記憶媒体に関するものである。
【背景技術】
【０００２】
従来よりインターネット等の電気通信回線を通じて一般顧客の顧客端末と取引業者コンピュータと、取引市場コンピュータとを接続し、外国為替、株式、貴金属のような先物等のオンライン取引が日々盛んに行われている。
【０００３】
このようなオンライン取引を行う場合、顧客による取引市場における取引媒体（外国為替、株式、先物）の過去の取引推移や現在値の確認の容易性、注文操作、注文取消操作、決済操作等の簡略性、注文結果の視覚による認識容易性が特に要請される。
【０００４】
特許文献１には、主に顧客が通貨売買の成行注文を行う場合に、顧客端末に、注文画面や、注文受付後その時点の為替レート、注文内容確認画面等の表示を行うようにした通貨売買取引システムが提案されている。
【０００５】
しかし、この特許文献１の通貨売買取引システムの場合、主に顧客による通貨売買の成行注文に関連する範囲のもので、適用範囲が比較的狭いものである。
【特許文献１】特開２００２−２１５９０６号公報
【発明の開示】
【発明が解決しようとする課題】
【０００６】
解決しようとする問題点は、顧客がオンライン取引を行う場合に、取引市場における取引媒体（外国為替、株式、先物）の過去の取引推移や現在値の確認が容易であり、注文、注文取消、決済等の諸操作が極めて簡略であり、更に注文結果、決済結果等の視覚による認識を確実に行うことができるオンライン取引システム、取引方法が存在しない点である。
【課題を解決するための手段】
【０００７】
本発明は、顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引システムであって、前記取引業者コンピュータは、任意数の取引媒体群、売値、買値等の価格情報群の情報、取引媒体の取引履歴を示すチャート情報、売買伝票の情報の電気通信回線を介しての顧客端末への送信及び顧客端末からの注文情報の受信、取引市場コンピュータとの電気通信回線を介しての交信による注文、注文成立情報の取得、注文成立の場合のチャート及び注文成立価格を示す指標のライン表示情報、注文成立関連情報の電気通信回線を介しての顧客端末への送信を行い、前記顧客端末は、任意数の取引媒体群、売値、買値等の価格情報群の情報の画面表示、取引媒体の取引履歴を示すチャート情報、売買伝票の情報の画面表示、売買伝票への注文入力、注文成立の場合のチャート及び注文成立価格を示す指標のライン表示、注文成立関連情報の表示を行うことを最も主要な特徴とする。
【発明の効果】
【０００８】
本発明によれば、以下の効果を奏する。
請求項１記載の発明によれば、顧客端末と、データベースを含む取引業者コンピュータと、取引市場コンピュータと、これらをオンラインで接続する電気通信回線とを使用し、時々刻々価格変動を伴う取引媒体のオンライン取引を行う場合において、顧客端末の画面に、任意数の取引媒体群、売値、買値等の価格情報群の表示、取引媒体の取引履歴を示すチャートの表示か行われ、更に顧客による売買伝票への注文入力の後注文成立の場合には当該の取引媒体のチャート及び注文成立価格を示す指標のライン表示、注文成立関連情報の表示が行われるので、取引市場における取引媒体の過去の取引推移や現在値の確認が容易であり、注文操作が極めて簡略であり、更に注文結果の視覚による認識を確実に行うことができるオンライン取引システムを提供することができる。また、請求項６記載の発明によれば、一連の処理過程によって請求項１記載の発明の場合と同様、顧客が取引市場における取引媒体の過去の取引推移や現在値の確認が容易であり、注文操作が極めて簡略であり、更に注文結果の視覚による認識を確実に行うことができるオンライン取引方法を提供することができる。
【０００９】
請求項２記載の発明によれば、請求項１記載の発明の場合と同様な効果を奏することに加え、顧客端末の画面に、注文価格を示す指標のライン表示を含むチャート及び注文コードを含む注文不成立関連情報が表示されるので、注文不成立の場合の処理結果についても視覚により確実に認識できるオンライン取引システムを提供することができる。また、請求項７記載の発明によれば、一連の処理過程によって請求項２記載の発明の場合と同様、顧客が取引市場における取引媒体の過去の取引推移や現在値の確認が容易であり、注文操作が極めて簡略であり、更に注文結果の視覚による認識を確実に行うことができ、更に注文不成立の場合の処理結果についても視覚により確実に認識できるオンライン取引方法を提供することができる。
【００１０】
請求項３記載の発明によれば、請求項２記載の発明の場合と同様な効果を奏することに加え、顧客端末による注文コード指定により注文内容の取り消し処理が行われ、顧客端末の画面上の当該取引媒体のチャート上のライン表示が消去されるので、顧客による注文内容の取り消し操作が簡略で、且つ、その結果を視覚により確実に認識できるオンライン取引システムを提供することができる。また、請求項８記載の発明によれば、一連の処理過程によって請求項３記載の発明の場合と同様な効果を奏するオンライン取引方法を提供することができる。
【００１１】
請求項４記載の発明によれば、顧客端末と、データベースを含む取引業者コンピュータと、取引市場コンピュータと、これらをオンラインで接続する電気通信回線とを使用し、時々刻々価格変動を伴う取引媒体のオンライン取引を行う場合において、顧客端末の画面に、当該顧客が保有する特定の取引媒体、注文コードの情報が表示され、顧客端末による取引媒体又は注文コードの指定入力により当該取引媒体の現在時点までのチャート表示及び保有価格を示す指標のライン表示が行われ、更に顧客端末の画面に売買伝票が表示され、顧客端末による売買伝票への決済用の条件指定入力に基づき取引市場コンピュータと電気通信回線を介して交信し決済処理が行われ、更に決済成立の場合に前記チャートにおけるライン表示の消去、決済関連情報の顧客端末の画面への表示が行われるので、顧客が保有する特定の取引媒体に関するポジションの確認、簡略な決済操作、決済結果や決済関連情報の視覚による確認を確実に行うことができるオンライン取引システムを提供することができる。また、請求項９記載の発明によれば、一連の処理過程によって請求項４記載の発明の場合と同様な効果を奏するオンライン取引方法を提供することができる。
【００１２】
請求項５記載の発明によれば、複数種の通過ペア、複数種の株式、複数種の先物取引対称物から選定される取引媒体に関して上述した請求項１乃至４記載の各発明の効果を発揮させることができる。
同様に、請求項１０記載の発明によれば、複数種の通過ペア、複数種の株式、複数種の先物取引対称物から選定される取引媒体に関して上述した請求項６乃至９記載の各発明の効果を発揮させることができる。
【００１３】
請求項１１乃至請求項１５記載の発明によれば、取引業者コンピュータを、各々請求項１乃至５のオンライン取引システムの機能、請求項６乃至１０のオンライン取引方法の処理を実行させることができるオンライン取引用プログラムを提供することができる。
【００１４】
また、請求項１６乃至請求項２０記載の発明によれば、取引業物コンピュータを、各々請求項１乃至５のオンライン取引システムの機能、請求項６乃至１０のオンライン取引方法の処理を実行させることができるオンライン取引用プログラムを記憶した記憶媒体を提供することができる。
【発明を実施するための最良の形態】
【００１５】
本発明は、顧客がオンライン取引を行う場合に、取引市場における取引媒体（外国為替、株式、先物）の過去の取引推移や現在値の確認が容易であり、注文、注文取消等の諸操作が極めて簡略であり、更に注文結果等の視覚による認識を確実に行うことができるオンライン取引システムを提供するという目的を、顧客端末と、データベースを含む取引業者コンピュータと、取引市場コンピュータと、これらをオンラインで接続する電気通信回線とを使用し、時々刻々価格変動を伴う取引媒体のオンライン取引を行うオンライン取引方法であって、前記取引業者コンピュータは、任意数の取引媒体群、売値、買値等の価格情報群の情報、取引媒体の取引履歴を示すチャート情報、売買伝票の情報の電気通信回線を介しての顧客端末への送信及び顧客端末からの注文情報の受信、取引市場コンピュータとの電気通信回線を介しての交信による注文、注文成立情報又は注文不成立情報の取得、注文成立の場合のチャート及び注文成立価格を示す指標のライン表示情報、注文成立関連情報の電気通信回線を介しての顧客端末への送信、又は注文不成立の場合の注文価格を示す指標のライン表示を含むチャートの情報及び注文コードを含む注文不成立関連情報の電気通信回線を介しての顧客端末への送信、顧客端末による注文コード指定により注文内容の取り消し処理及び当該取引媒体のチャート上のライン表示の消去情報の電気通信回線を介しての顧客端末への送信を行い、前記顧客端末は、任意数の取引媒体群、売値、買値等の価格情報群の情報の画面表示、取引媒体の取引履歴を示すチャート情報、売買伝票の情報の画面表示、売買伝票への注文入力、注文成立の場合のチャート及び注文成立価格を示す指標のライン表示、注文成立関連情報の表示、又は注文不成立の場合の注文価格を示す指標のライン表示を含むチャート及び注文コードを含む注文不成立関連情報の表示、注文コード指定による注文内容の取り消し操作を行う構成により実現した。
【実施例】
【００１６】
以下に、本発明の実施例を詳細に説明する。
図１は本実施例のオンライン取引システムの全体構成を示すものであり、このオンライン取引システムは、オンライン取引を行う顧客が使用する顧客端末１１と、データベースサーバ３、アプリケーションサーバ４及びメインサーバ２を含み、取引業者（ブローカ）が電気通信回線（インターネット）５上で後述するような処理内容を含むオンライン取引用プログラムの実行の基に運営する取引業者コンピュータ装置１と、取引業者コンピュータ装置１と電気通信回線（例えば専用回線）６を介してオンライン接続され、例えば外国為替、株式、貴金属等の先物等から選定される時々刻々価格変動を生じている取引媒体の取引処理を実行している取引市場コンピュータ２１と、を有している。
【００１７】
なお、前記オンライン取引用プログラムは、取引業者コンピュータ装置１のメインサーバ２等のハードディスクに格納して実行したり、ＣＤ−ＲＯＭ、ＤＶＤ−ＲＯＭ等の記憶媒体７に記憶し取引業者コンピュータ装置１にてオンライン取引用プログラムを読み込んで実行したりすることができる。
【００１８】
前記顧客端末１１は、電気通信回線５を介して取引業者コンピュータ装置１のメインサーバ２と接続され、またメインサーバ２は電気通信回線６を介して取引市場コンピュータ２１と接続され、これにより、顧客端末１１とメインサーバ２間、メインサーバ２と取引市場コンピュータ２１間で各々オンラインで取引処理における取引媒体の受発注処理、取引成立、不成立処理、これらに伴う各種の情報の送受処理を自動的に実行可能としている。
【００１９】
また、前記顧客端末１１は、キーボードを含む本体１２、表示部１３、マウス１４等を具備している。
【００２０】
次に、本実施例のオンライン取引システムによるオンライン取引用プログラムに基づいた処理の流れを前記取引市場コンピュータ２１が外国為替のオンライン取引を実行している場合を主にし、且つ、図２乃至図４及び図５乃至図９をも参照して説明する。
【００２１】
顧客が例えば外国為替取引におけるＵＳＤＪＰＹ（米国ドル／日本円）に関するオンライン取引を所望する場合において、顧客端末１１から電気通信回線５を介して取引業者コンピュータ装置１のメインサーバ２にアクセスすると（ステップＳ１）、メインサーバ２は、図６に示す任意数の取引媒体群であるＵＳＤＪＰＹ、ＥＵＲＪＰＹ（ユーロ／日本円）、ＣＡＤＪＰＹ（カナダドル／日本円）等の通貨ペア群の情報、これらに対応する売値、買値等の価格情報群を時々刻々蓄積更新しているデータベースサーバ３から読み出し、前記電気通信回線５を介して顧客端末１１に送信し、その表示部１３の画面に表示させる（ステップＳ２）。
【００２２】
ここで、顧客が表示部１３の画面を視認し、マウス１４により例えば画面上の通貨ペア群のうちのＵＳＤＪＰＹの欄を指定（クリック）すると（ステップＳ３）、この指定情報は電気通信回線５を介して取引業者コンピュータ装置１のメインサーバ２に送信される。
【００２３】
これにより、メインサーバ２は、当該ＵＳＤＪＰＹの現時点までの取引履歴を示すチャートの情報を時々刻々蓄積更新しているデータベースサーバ３から読み出し、前記電気通信回線５を介して顧客端末１１に送信し、その表示部１３の画面に図７に示すように表示させ（ステップＳ４）、更に図８に示す売買伝票の情報を電気通信回線５を介して顧客端末１１に送信し、その表示部１３の画面に売買伝票として表示させる（ステップＳ５）。なお、図７はチャートのロウソク足による表示例を示すものである。
【００２４】
ここで、顧客が表示部１３上の売買伝票を視認し、取引種別（売／買）、取引数量、指値等の取引条件を指示（入力）し発注すると（ステップＳ６）、この指定情報は電気通信回線５を介して取引業者コンピュータ装置１のメインサーバ２に送信される。メインサーバ２は、顧客端末１１からの取引条件を受信するとともに、顧客端末１１からの同一の取引媒体に関する追加発注の有無を判定し（ステップＳ７）、追加発注が無い場合には電気通信回線６を介して取引市場コンピュータ２１と交信し、注文成立の場合（ステップＳ８）、メインサーバ２は、電気通信回線５を介して顧客端末１１に当該ＵＳＤＪＰＹに関するチャート及び注文成立価格を示す指標Ｌのライン表示の情報を送信し、これらを図７に示すように顧客端末１１の画面に表示させる（ステップＳ９）。
【００２５】
更に、メインサーバ２は、当該ＵＳＤＪＰＹに関する取引種別、取引数量、約定値、現在値、現在時点値洗等の注文成立関連情報を送信し、これらを図５に示す顧客端末１１の画面に表示させる（ステップＳ１０）。顧客端末１１の画面には、ＵＳＤＪＰＹに関するポジション管理情報、詳細情報も表示される。なお、図５は成行注文（ツーウェイプラス）に関する顧客端末１１の画面表示の一例を示すものである。
【００２６】
以上の一連の処理により、顧客はＵＳＤＪＰＹに関する取引市場の現在の状況を確認した後、簡略な操作にて指値等の注文の操作を実行でき、更に注文成立結果、その詳細情報を顧客端末１１の画面にて明確に視認し、認識することができる。
【００２７】
上述したステップＳ７の処理で、顧客端末１１からの同一の取引媒体に関する追加発注が有るとメインサーバ２が判定した場合には、メインサーバ２は電気通信回線６を介して追加発注分に関しても取引市場コンピュータ２１と交信し、注文成立の場合（ステップＳ１１）、当初の発注分と追加発注分との成立価格の平均レートを算出し（ステップＳ１２）、算出した当該ＵＳＤＪＰＹに関するチャート及び注文成立価格（平均レート）を示す指標Ｌのライン表示の情報を送信し、これらを顧客端末１１の画面に上述した場合と同様に表示させる（ステップＳ１３）。更にメインサーバ２は、当該ＵＳＤＪＰＹに関する当初の発注分と追加発注分に関する取引種別（売／買）、取引数量、約定値、現在値、現在時点値洗等の注文成立関連情報を送信し、これらを上述した場合と同様に顧客端末１１の画面に表示させる（ステップＳ１４）。
【００２８】
以上のステップＳ１乃至ステップＳ７、ステップＳ１１乃至ステップＳ１４の一連の処理により、顧客はＵＳＤＪＰＹに関する取引市場の現在の状況を確認した後、簡略な操作にて指値等の注文及び追加注文の操作を実行でき、更にこれらの平均レートを含む注文成立結果、その詳細情報を顧客端末１１の画面にて明確に視認し、認識することができる。
【００２９】
また、上述したステップＳ３の処理で、顧客が表示部１３の画面を視認し、マウス１４により例えば画面上のＵＳＤＪＰＹの売値、買値等の価格情報欄を指定（クリック）した場合には（ステップＳ３）、この指定情報は成行注文情報として電気通信回線５を介して取引業者コンピュータ装置１のメインサーバ２に送信される。
【００３０】
これにより、メインサーバ２は、当該ＵＳＤＪＰＹの現時点までの取引履歴を示すチャートの情報を時々刻々蓄積更新しているデータベースサーバ３から読み出し、前記電気通信回線５を介して顧客端末１１に送信し、その表示部１３の画面に表示させ（ステップＳ１５）、更に上述した場合と同様図８に示す売買伝票の情報を電気通信回線５を介して顧客端末１１に送信し、その表示部１３の画面に売買伝票として表示させる（ステップＳ１６）。
【００３１】
ここで、顧客が表示部１３上の売買伝票を視認し、取引種別（売／買）、取引数量、指値等の取引条件を指示（入力）し発注すると（ステップＳ１７）、この指定情報は成行注文情報として電気通信回線５を介して取引業者コンピュータ装置１のメインサーバ２に送信される。これ以降は、既述したステップＳ７乃至ステップＳ１０の処理又はステップＳ１１乃至ステップＳ１４の処理が上述した場合と同様にして実行される。
【００３２】
以上のステップＳ１乃至ステップＳ３、ステップＳ１５乃至ステップＳ１７、ステップＳ７乃至ステップＳ１０又はステップＳ１１乃至ステップＳ１４の一連の処理により、顧客はＵＳＤＪＰＹに関する取引市場の現在の状況を確認した後、簡略な操作にて成行注文及び追加注文の操作を実行でき、更にこれらの注文成立結果、その詳細情報を顧客端末１１の画面にて明確に視認し、認識することができる。
【００３３】
次に、上述したステップＳ８の処理で、指値等の注文が不成立の場合には、メインサーバ２は、電気通信回線５を介して顧客端末１１に当該ＵＳＤＪＰＹに関するチャート及び注文不成立価格を示す指標のライン表示の情報を送信し、これらを上述した場合と同様に顧客端末１１の画面に表示させる（ステップＳ１８）。
【００３４】
更に、メインサーバ２は、当該ＵＳＤＪＰＹに関する注文コード、取引種別、取引数量、指値等の注文不成立関連情報を送信し、これらを顧客端末１１の画面に表示させる（ステップＳ１９）。
【００３５】
次に、図３を参照して顧客による指値等の注文取り消し処理について説明する。
上述したようにＳ８の処理で、指値等の注文が不成立となり、更に上述したステップ、Ｓ１８、Ｓ１９の処理を経て顧客端末１１の画面の前記管理情報欄に注文コードを含む注文不成立関連情報が表示され場合において、顧客が既に行った注文の取り消しを所望する場合には、マウス１４により前記管理情報欄の注文コードの位置を注文取り消し処理として指定（クリック）する（ステップＳ２０）。
この情報は電気通信回線５を介してメインサーバ２に送信され、これによりメインサーバ２は、電気通信回線５を介して顧客端末１１に当該ＵＳＤＪＰＹに関するチャート及び注文不成立価格を示す指標のライン表示の情報を送信し、顧客端末１１の画面に表示させた後（ステップＳ２１）、図９に示すような売買伝票を電気通信回線５を介して顧客端末１１に送信し、顧客端末１１の画面に表示させる（ステップＳ２２）。
【００３６】
ここで、顧客が売買伝票上の取消ボタンをマウス１４により指定（クリック）すると（ステップＳ２３）、この取り消し情報が電気通信回線５を介してメインサーバ２に送信され、メインサーバ２は取引市場コンピュータ２１と交信し、当該注文の取り消し処理を行った後（ステップＳ２４）、当該ＵＳＤＪＰＹに関するチャートの注文価格を示す指標のライン表示を消去する情報を電気通信回線５を介して顧客端末１１に送信し、ライン表示が消去されたチャートのみを顧客端末１１の画面に表示させる（ステップＳ２５）。
【００３７】
以上の一連の処理により、顧客は注文内容を確認した後、簡略な操作にて指値等の注文の取り消し操作を実行でき、更に取り消し処理結果を顧客端末１１の画面にて明確に視認し、認識することができる。
【００３８】
次に、図４を参照して、顧客が例えばＵＳＤＪＰＹに関して買注文を行い、現在所定量保有している場合において、顧客自身が現在保有するポジションの決済（仕切り）処理を行う場合について説明する。
【００３９】
顧客端末１１の画面の管理情報欄に、既述した場合と同様にして注文コード、取引媒体群等が表示されている状態で、顧客が注文コード又はＵＳＤＪＰＹの位置を指定（クリック）すると（ステップＳ３１）、この情報は電気通信回線５を介してメインサーバ２に送信され、メインサーバ２は電気通信回線５を介して顧客端末１１に当該ＵＳＤＪＰＹに関するチャート及び顧客の保有ポジションを示す指標のライン表示の情報を送信し、顧客端末１１の画面に表示させた後（ステップＳ３２）、更に売買伝票を電気通信回線５を介して顧客端末１１に送信し、顧客端末１１の画面に表示させる（ステップＳ３３）。
【００４０】
ここで、顧客が売買伝票に対して決済のための諸条件を指示すると（ステップＳ３４）、この情報は電気通信回線５を介してメインサーバ２に送信され、メインサーバ２は取引市場コンピュータ２１と交信し、当該顧客が保有するＵＳＤＪＰＹに関する決済処理を行い決済成立（ステップＳ３５）の場合には、当該ＵＳＤＪＰＹに関するチャートの決済価格を示す指標（保有ポジションを示す指標）のライン表示を消去する情報を電気通信回線５を介して顧客端末１１に送信し、ライン表示が消去されたチャートのみを顧客端末１１の画面に表示させる（ステップＳ３６）。
【００４１】
また、メインサーバ２は当該決済処理に関する取引種別（売／買）、取引数量、仕切り値等の決済成立関連情報を送信し、これらを上述した場合と同様に顧客端末１１の画面に表示する（ステップＳ３７）。
【００４２】
以上の一連の処理により、顧客は自らの保有ポジションを確認した後、簡略な操作にて決済操作を実行でき、更に決済処理結果及びその詳細情報を顧客端末１１の画面にて明確に視認し、認識することができる。
【００４３】
次に、図１０乃至図１５を参照して、本実施例における売買伝票の表示例の他例について説明する。
図１０は売りのみ売買伝票の表示例を、図１１は買いのみ売買伝票の表示例を、図１２は指し値・逆指し値の売買伝票の表示例を、図１３は複合条件注文を行う場合の売買伝票の表示例を、図１４は二者択一注文を行う場合の売買伝票の表示例を、図１５トリガー付き二者択一注文を行う場合の売買伝票の表示例を各々示すものである。これら各種の売買伝票を使用することによって、顧客のオンライン取引における各種の取引ニーズ（売りのみ、買いのみ、指し値・逆指し値等）に対応した取引注文処理を実行することが可能となる。
【００４４】
図１６、図１７は、前記顧客端末１１等の画面に表示されるチャートの他の表示例を示すものである。すなわち、図１６はＵＳＤＪＰＹに関する折れ線表示のチャートを、図１７はＵＳＤＪＰＹに関するカギ足表示のチャートを各々示すものである。このような表示態様のチャートを採用しても既述したしような本実施例の各種のオンライン取引を有効に実施できる。
【００４５】
図１８、図１９は、前記顧客端末１１等の画面に表示されるポジション管理情報の他の表示例を示すものであり、図１８はＵＳＤＪＰＹ（ドル／円）に関する買い、売り等の指値管理情報の表示例を、図１８はＵＳＤＪＰＹ（ドル／円）に関する取引番号別の明細の表示例を示すものである。このような表示態様のポジション管理情報を採用しても既述したしような本実施例の各種のオンライン取引を有効に実施できる。
【００４６】
図２０は本発明の実施例において対象とする取引媒体群の他例である株式銘柄群及びこれの現在値を示すものであり、このような株式銘柄群及びこれの現在値等を対象としても上述した場合と同様、本実施例のオンライン取引システム、オンライン取引方法を適用し、顧客による株式市場の現在値の確認、株式の注文、注文成立、注文不成立の確認、注文取り消し、保有株式の決済、処理結果の確認等の各処理を視覚認識の基に快適に実行できる。
【００４７】
図２１は本発明の実施例において対象とする取引媒体群の更に他例である先物の銘柄群及びこれの現在値、隔月を示すものであり、このような株式銘柄群及びこれの現在値等を対象としても上述した場合と同様、本実施例のオンライン取引システム、オンライン取引方法を適用し、顧客による先物市場の現在値の確認、貴金属等の先物の注文成立、注文不成立の確認、注文取り消し、保有先物の決済、処理結果の確認等の各処理を視覚認識の基に快適に実行できる。
【産業上の利用可能性】
【００４８】
本発明は、上述した場合のほか、国内の穀物先物の売買、海外の株式の売買、海外先物の売買等に幅広く適用可能である。
【図面の簡単な説明】
【００４９】
【図１】本発明の実施例のオンライン取引システムの全体構成を示すブロック図である。
【図２】本実施例のオンライン取引システムによる為替取引処理の流れを示すフローチャートである。
【図３】本実施例のオンライン取引システムによる為替取引処理における注文取り消し処理の流れを示すフローチャートである。
【図４】本実施例のオンライン取引システムによる為替取引処理における決済処理の流れを示すフローチャートである。
【図５】本実施例のオンライン取引システムにおける顧客端末の画面表示例を示す図である。
【図６】本実施例の顧客端末の画面表示例のうち通貨ペア群、これらの買値、売値等の拡大表示例を示す図である。
【図７】本実施例の顧客端末の画面表示例のうちＵＳＤＪＰＹのチャートの拡大表示例を示す図である。
【図８】本実施例の売買伝票の表示例を示す図である。
【図９】本実施例の売買伝票（決済用）の表示例を示す図である。
【図１０】本実施例の売りのみの売買伝票の表示例を示す図である。
【図１１】本実施例の買いのみの売買伝票の表示例を示す図である。
【図１２】本実施例の指し値・逆指し値の売買伝票の表示例を示す図である。
【図１３】本実施例の複合条件注文を行う場合の売買伝票の表示例を示す図である。
【図１４】本実施例の二者択一注文を行う場合の売買伝票の表示例を示す図である。
【図１５】本実施例のトリガー付き二者択一注文を行う場合の売買伝票の表示例を示す図である。
【図１６】本実施例の顧客端末等の画面に表示される折れ線表示のチャートを示す図である。
【図１７】本実施例の顧客端末等の画面に表示されるカギ足表示のチャートを示す図である。
【図１８】本実施例のＵＳＤＪＰＹに関する買い、売り等の指値管理情報の表示例を示す図である。
【図１９】本実施例のＵＳＤＪＰＹに関する取引番号別の明細の表示例を示す図である。
【図２０】本実施例の取引媒体群の他例である株式銘柄群及びこれの現在値を示す図である。
【図２１】本実施例の取引媒体群の更に他例である先物銘柄群及びこれの現在値、隔月を示す図である。
【符号の説明】
【００５０】
１    取引業者コンピュータ装置
２    メインサーバ
３    データベースサーバ
４    アプリケーションサーバ
５    電気通信回線
６    電気通信回線
７    記憶媒体
１１    顧客端末
１２    本体
１３    表示部
１４    マウス
２１    取引市場コンピュータ
Ｌ    指標
【図１】
2006260441.tif 000003
【図２】
2006260441.tif 000004
【図３】
2006260441.tif 000005
【図４】
2006260441.tif 000006
【図２０】
2006260441.tif 000007
【図２１】
2006260441.tif 000008
【図５】
2006260441.tif 000009
【図６】
2006260441.tif 000010
【図７】
2006260441.tif 000011
【図８】
2006260441.tif 000012
【図９】
2006260441.tif 000013
【図１０】
2006260441.tif 000014
【図１１】
2006260441.tif 000015
【図１２】
2006260441.tif 000016
【図１３】
2006260441.tif 000017
【図１４】
2006260441.tif 000018
【図１５】
2006260441.tif 000019
【図１６】
2006260441.tif 000020
【図１７】
2006260441.tif 000021
【図１８】
2006260441.tif 000022
【図１９】
2006260441.tif 000023